(57)【要約】【課題】複数種類の残渣が混在する廃棄物の最終処分残渣を効率よく適切に分別して処理する。【解決手段】残渣処理装置１００は、主に振動フィーダ１、円筒網１１を有する回転筒部１０、駆動部４０、配管部２０、最終処分残渣１９０の第２群１９２を吸い込む吸込みダクト２３、回転筒部１０の外周面に付着した最終処分残渣１９０の第３群１９３を空気によって外部に吹き飛ばす吹出しダクト２４、および吸込みダクト２３を介して吸い込まれる空気と吹出しダクト２４を介して吹き出される空気とを循環供給するメインブロワ８０を備える。また、例えばメインブロワ８０と吸込みダクト２３との間に設けられ、吸込みダクト２３を介して吸い込んだ最終処分残渣１９０の第２群１９２を分級するサイクロン式分級装置６０、および振動フィーダ１と回転筒部１０の外側を落下した最終処分残渣１９０の第１群１９１を搬送する搬送コンベア５０を備える。【選択図】図１
2009247970.tif 000002
【特許請求の範囲】
【請求項１】
円筒網から構成されその中心軸を回転軸として回転自在に配置された回転筒と、
前記回転筒を回転駆動させる駆動手段と、
複数種類の残渣が混在する廃棄物の最終処分残渣を前記回転筒の外周面に向けて供給する残渣供給手段と、
前記回転筒の内部に、吸込口が前記最終処分残渣が供給される部位に配置されるように固定的に配置された吸込みダクトと、
前記回転筒の内部に、吹出し口が前記吸込みダクトの吸込口に対して、前記回転筒の回転方向の下流側に固定的に配置された吹出しダクトと、
前記吸込みダクトの吸込口から空気を吸い込んで前記吹出しダクトの吹出し口から空気を吹き出す空気供給手段と、
前記吸込みダクトの吸込口から前記吹出しダクトの吹出し口に至る前記回転筒の外周面を覆う第１搬送手段と、
前記残渣供給手段から前記回転筒の外周面に供給されて前記回転筒の外側で落下する最終処分残渣の第１群を回収する第１回収経路と、
前記残渣供給手段から前記回転筒の外周面に供給されて前記吸込みダクトで吸い込まれる最終処分残渣の第２群を回収する第２回収経路と、
前記残渣供給手段から前記回転筒の外周面に供給されて前記第１搬送手段により搬送されて前記吹出しダクトにより前記回転筒の外部に吹き飛ばされる最終処分残渣の第３群を回収する第３回収経路と
を備えたことを特徴とする残渣処理装置。
【請求項２】
前記吸込みダクトの吸込口および前記吹出しダクトの吹出し口は、前記円筒網の軸方向全体にわたる開口からなる
ことを特徴とする請求項１記載の残渣処理装置。
【請求項３】
前記回転筒の中心軸に沿って設けられ、前記中心軸方向の中央部が仕切部によって仕切られて、この仕切部の一方の側に前記吸込みダクトが連結されるとともに、前記仕切部の他方の側に前記吹出しダクトが連結された配管部と、
前記配管部に接続されて前記配管部内の空気を循環させるブロワと
を備えたことを特徴とする請求項１または２記載の残渣処理装置。
【発明の詳細な説明】
【技術分野】
【０００１】
この発明は、産業廃棄物や都市ゴミ等の一般廃棄物の処理過程において、石屑、紙屑、鉄屑、木屑、微細物、粉塵、砂、小石、ガラス片、陶磁器片などの大きさや質量の異なる複数種類の残渣が混在する廃棄物の最終処分残渣の処理装置に関する。
【背景技術】
【０００２】
石膏ボードは、例えば紙などの表面材と石膏などの基材からなるが、廃棄物として処分する際には、粉塵等の外界への飛散に伴う環境破壊などを防止するために、これらを効率よく分離して適切に分別した上で処理することが望まれている。この石膏ボードを処理するものとして、下記特許文献１に開示されている石膏ボード粉砕機が知られている。
【０００３】
この石膏ボード粉砕機は、ホッパに投入された石膏ボード破片が、歯付チェーンコンベアにて破砕された上でボールミルによって粉砕され、分級装置で大小の石膏片に分級される構造を備えている。そして、小片の石膏片は金網外に排出され、大片の石膏片はボールミル内に環流されて再度粉砕され、ボールミル内で石膏片と分離された紙片がブラシ付スクリューコンベアにて捕捉され排出されるとしている。
【０００４】
また、紙屑や微細物、粉塵などを含む廃棄物を処理するものとしては、下記特許文献２に開示されている装置が知られている。この装置においては、ドラムの外周面に付着した廃棄物等をスクレーパなどによりこすり取ることが行われる。
【０００５】
【特許文献１】特開２００１−８７６６１号公報
【特許文献２】実公平２−３００３０号公報
【発明の開示】
【発明が解決しようとする課題】
【０００６】
しかしながら、上述した特許文献１に開示されている石膏ボード粉砕機では、石膏ボードに限定した処理においては適切に分別可能であるとされているが、例えば石屑、紙屑、鉄屑、木屑、微細物、粉塵、砂、小石、ガラス片、陶磁器片などの大きさや質量の異なる複数種類の残渣が混在する廃棄物の最終処分残渣を処理するには必ずしも適しているとは言えないという問題があった。
【０００７】
また、上述した特許文献２に開示されている装置では、ドラムの外周面に付着した廃棄物等をこすり取る構造であるため、処理の効率が非常に悪いという問題があった。
【０００８】
この発明は、上述した従来技術の問題点を解消するためになされたもので、複数種類の残渣が混在する廃棄物の最終処分残渣を効率よく適切に分別して処理することができる残渣処理装置を提供することを目的とする。
【課題を解決するための手段】
【０００９】
この発明に係る残渣処理装置は、円筒網から構成されその中心軸を回転軸として回転自在に配置された回転筒と、前記回転筒を回転駆動させる駆動手段と、複数種類の残渣が混在する廃棄物の最終処分残渣を前記回転筒の外周面に向けて供給する残渣供給手段と、前記回転筒の内部に、吸込口が前記最終処分残渣が供給される部位に配置されるように固定的に配置された吸込みダクトと、前記回転筒の内部に、吹出し口が前記吸込みダクトの吸込口に対して、前記回転筒の回転方向の下流側に固定的に配置された吹出しダクトと、前記吸込みダクトの吸込口から空気を吸い込んで前記吹出しダクトの吹出し口から空気を吹き出す空気供給手段と、前記吸込みダクトの吸込口から前記吹出しダクトの吹出し口に至る前記回転筒の外周面を覆う第１搬送手段と、前記残渣供給手段から前記回転筒の外周面に供給されて前記回転筒の外側で落下する最終処分残渣の第１群を回収する第１回収経路と、前記残渣供給手段から前記回転筒の外周面に供給されて前記吸込みダクトで吸い込まれる最終処分残渣の第２群を回収する第２回収経路と、前記残渣供給手段から前記回転筒の外周面に供給されて前記第１搬送手段により搬送されて前記吹出しダクトにより前記回転筒の外部に吹き飛ばされる最終処分残渣の第３群を回収する第３回収経路とを備えたことを特徴とする。
【００１０】
この発明に係る残渣処理装置は、上記のように構成したことにより、複数種類の残渣が混在する廃棄物の最終処分残渣をその大きさや質量により、第１群、第２群および第３群に分別することができるので、廃棄物の最終処分残渣を効率よく適切に分別して処理することが可能となる。
【００１１】
なお、例えば前記吸込みダクトの吸込口および前記吹出しダクトの吹出し口は、前記円筒網の軸方向全体にわたる開口からなる。
【００１２】
また、例えば前記回転筒の中心軸に沿って設けられ、前記中心軸方向の中央部が仕切部によって仕切られて、この仕切部の一方の側に前記吸込みダクトが連結されるとともに、前記仕切部の他方の側に前記吹出しダクトが連結された配管部と、前記配管部に接続されて前記配管部内の空気を循環させるブロワとを備えてもよい。
【発明の効果】
【００１３】
この発明によれば、複数種類の残渣が混在する廃棄物の最終処分残渣を効率よく適切に分別して処理することができる残渣処理装置を提供することができる。
【発明を実施するための最良の形態】
【００１４】
以下、添付の図面を参照して、この発明に係る残渣処理装置の好適な実施形態を詳細に説明する。図１は、本発明の一実施形態に係る残渣処理装置の全体構成の一部の例を示す正面概略図である。また、図２は、同残渣処理装置の一部の例を示す概略斜視図である。また、図３は、同残渣処理装置の全体構成の一部の例を示す側面概略図である。さらに、図４は、同残渣処理装置の全体構成の他の一部の例を示す説明図である。
【００１５】
図１〜図４に示すように、残渣処理装置１００は、大別すると主に次の各部から構成される。すなわち、残渣処理装置１００は、円筒網１１から構成されその中心軸を回転軸として回転自在に配置された回転筒部１０（例えば、図１参照）と、石屑、紙屑、鉄屑、木屑、微細物、粉塵、砂、小石、ガラス片、陶磁器片などの大きさや質量の異なる複数種類の残渣が混在する廃棄物の最終処分残渣１９０を回転筒部１０の外周面に向けて供給する残渣供給手段としての振動フィーダ１（例えば、図３参照）と、回転筒部１０を回転駆動させる駆動手段としての駆動部４０とを備える。そして、振動フィーダ１と回転筒部１０とは所定間隔をあけて外周面が近接する状態で配置され、回転筒部１０の円筒網１１の両端部１１ａ，１１ｂ側は閉塞されている。
【００１６】
なお、駆動部４０は、例えばこの回転筒部１０の端部１１ｂ側の回転軸部１２ｂに取り付けられたスプロケット４１を、チェーン４２を介して駆動モータ（図示せず）で回転させることにより回転筒部１０を回転させる。回転筒部１０の回転軸部１２ａ，１２ｂは、例えば支持部１３ａ，１３ｂにベアリング１４を介して軸支されている。
【００１７】
また、残渣処理装置１００は、回転筒部１０の内部に、吸込口２３ａ（例えば、図２参照）が最終処分残渣１９０が振動フィーダ１により供給される部位に配置されるように固定的に配置された吸込みダクト２３と、同様に回転筒部１０の内部に、吹出し口２４ａ（例えば、図２参照）が吸込みダクト２３の吸込口２３ａに対して、回転筒部１０の回転方向（図２および図３中矢印Ｒで示す方向）の下流側に固定的に配置された吹出しダクト２４とを備える。つまり、回転筒部１０が回転するのに対し、これらダクト２３，２４は回転しない。なお、これら吸込みダクト２３の吸込口２３ａおよび吹出しダクト２４の吹出し口２４ａは、円筒網１１の軸方向全体にわたる開口からなり、円筒網１１の内周面と僅かの隙間を介して対向配置されている。
【００１８】
残渣処理装置１００には、振動フィーダ１から回転筒部１０の外周面に供給されて回転筒部１０の外側で落下した最終処分残渣１９０の第１群１９１（図３参照）を回収して搬送する第１回収経路の一部を構成する搬送コンベア５０が備えられている。
【００１９】
ここで、上記最終処分残渣１９０の第１群１９１とは、石屑、紙屑、鉄屑、木屑、微細物、粉塵、砂、小石、ガラス片、陶磁器片などのうち、回転筒部１０の円筒網１１を通り抜けられず回転動作に抗して振動フィーダ１と回転筒部１０の外周面との間を重力の作用により落下する重量のものをいい、例えば石屑、鉄屑、木屑、小石、ガラス片、陶磁器片などが挙げられる。これら最終処分残渣１９０の第１群１９１は、例えば搬送手段としての搬送コンベア５０によって搬送スクリューコンベア１１０へ搬送される。
【００２０】
また、残渣処理装置１００は、回転筒部１０の中心軸部分に、空気が流通する空間部２０ａを有するように固定配置されるとともに、この回転筒部１０の内部にて空間部２０ａが仕切部２９により仕切られ、かつこの仕切部２９の両端側にそれぞれ開口部２１ａ，２２ａが形成された配管部２０（例えば、図２参照）を備える。なお、配管部２０は、例えば開口部２１ａが形成された方の吸込み側配管部２１と、開口部２２ａが形成された方の吹出し側配管部２２とから構成される。
【００２１】
そして、吸込みダクト２３は、具体的には回転筒部１０の内部における振動フィーダ１近傍（振動フィーダ１の位置よりも回転筒部１０の回転方向の下流側）に吸込口２３ａが配置され、仕切部２９を介した配管部２０の一端側の開口部２１ａと連続し吸込み側配管部２１の空間部２０ａと連通する状態で固定配置されている。これにより、回転筒部１０の円筒網１１を通過する最終処分残渣１９０の第２群１９２（図３参照）を、吸込み側配管部２１内に吸い込む第２回収経路の一部を構成する。この第２回収経路は、例えば吸込みダクト２３、吸込み側配管部２１、後述するサイクロン式分級装置６０、フィルタ部７０、およびメインブロワ８０などによって構成される。また、配管部２０とメインブロワ８０とで、空気供給手段を構成する。
【００２２】
以上の構成において、サイクロン式分級装置６０のファン６１により集積された残渣以外の最終処分残渣１９０の第２群１９２の一部（例えば、さらに微細な残渣）をフィルタ部７０によって空気と分離する。このフィルタ部７０により、メインブロワ８０から吹出しダクト２４側へ供給する空気をよりクリーンに清浄することが可能となり、残渣処理装置１００から吹き出される空気による環境面への悪影響を配慮した構造となっている。
【００２３】
ここで、上記最終処分残渣１９０の第２群１９２とは、例えば石屑、紙屑、鉄屑、木屑、微細物、粉塵、砂、小石、ガラス片、陶磁器片などのうち、回転筒部１０の円筒網１１（例えば、２ｍｍ〜１０ｍｍ程度の目開きを持った菱目や角目、あるいは丸目の網目形状からなる）を通り抜けられる大きさであり、かつ吸込みダクト２３内への吸引力により吸い込まれるものをいい、例えば微細物や粉塵などが挙げられる。
【００２４】
さらに、吹出しダクト２４は、具体的には回転筒部１０の内部における吸込みダクト２３の吸込口２３ａから上述したように回転方向の下流側に所定範囲離れた位置に吹出し口２４ａが配置され、仕切部２９を介した配管部２０の他端側の開口部２２ａと連続し吹出し側配管部２２の空間部２０ａと連通する状態で固定配置されている。これにより、回転筒部１０の円筒網１１を通過せずに後述する第１搬送手段としてのローラコンベア３０により外周面に付着した状態で搬送された最終処分残渣１９０の第３群１９３（図３参照）を、吹出し側配管部２２から吹き出された空気によって外部に吹き飛ばす第３回収経路の一部を構成する。この第３回収経路は、例えばローラコンベア３０、吹出しダクト２４、吹出し側配管部２２、メインブロワ８０、および後述する排出スクリューコンベア９０などによって構成される。
【００２５】
ここで、上記最終処分残渣１９０の第３群１９３とは、石屑、紙屑、鉄屑、木屑、微細物、粉塵、砂、小石、ガラス片、陶磁器片などのうち、回転筒部１０の円筒網１１を通り抜けられない大きさであり、かつ外周面に付着する軽量なものであって吹出しダクト２４の吹出し口２４ａから吹き出される空気の力により外部に吹き飛ばされるものをいい、例えば紙片などが挙げられる。
【００２６】
なお、本例の残渣処理装置１００は、吸込みダクト２３の吸込口２３ａから吹出しダクト２４の吹出し口２４ａに至る回転筒部１０の外周面側にこの外周面を覆うように配置され、最終処分残渣１９０の第３群１９３を回転筒部１０の外周面に摺接しながら付着させた状態で、回転筒部１０の回転動作に伴って吸込みダクト２３側から吹出しダクト２４側へ搬送するローラコンベア３０を備えている。このローラコンベア３０により、最終処分残渣１９０の第３群１９３を確実に第３回収経路の他の一部を構成する排出スクリューコンベア９０側に搬送することができる。
【００２７】
このように構成された残渣処理装置１００は、簡単な構成によって、振動フィーダ１から供給された最終処分残渣１９０をそれぞれ大きさや質量などにより、少なくとも第１群１９１、第２群１９２、第３群１９３へと効率よく分別することができ、さらに第２群１９２をサイクロン式分級装置６０にて分級することができる。このため、複数種類の残渣が混在する廃棄物の最終処分残渣１９０を効率よく適切に分別して処理することが可能となる。
【００２８】
なお、図４に示すように、上述した最終処分残渣１９０の第１群１９１は、第１回収経路の他の一部を構成する搬送スクリューコンベア１１０によって搬送された後、例えばエアクッション分級装置１２０によりさらに分級されてもよい。この第１回収経路は、例えば搬送コンベア５０、搬送スクリューコンベア１１０、およびエアクッション分級装置１２０などによって構成される。
【００２９】
この場合、エアクッション分級装置１２０は、例えば最終処分残渣１９０の第１群１９１を空気により放出する放出手段としての放出ブロワ１１９と、この放出ブロワ１１９の図４中矢印Ｏで示す放出方向と対向する一側面がゴムやエラストマーなどの弾性部材１２３により構成され、他の部分が鉄製の枠１２２ａにより閉塞されたチャンバ室１２２と、このチャンバ室１２２内へ空気を供給して弾性部材１２３の張り具合を調節する張り調節手段としてのエアバルブ１２１を備えて構成される。
【００３０】
このように構成されたエアクッション分級装置１２０によれば、図４に示すように、放出ブロワ１１９により放出方向に放出された最終処分残渣１９０の第１群１９１を弾性部材１２３に当接させることにより、この弾性部材１２３の反発力によって質量の異なる残渣１９１ａ，１９１ｂにさらに分級することが可能となる。
【００３１】
なお、本発明は上述した実施形態に限定されるものではなく、本発明の趣旨を逸脱しない範囲において、種々の変更、改良などが可能である。例えば、最終処分残渣１９０を振動フィーダ１により供給する構成を例に挙げて説明したが、回転筒部１０の円筒網１１方向へ落下するように角度を付けた出口を有するホッパ（図示せず）に、直接最終処分残渣１９０を投入するようにしてもよい。また、駆動部４０の構成をスプロケット４１やチェーン４２を介さずに直接駆動モータの駆動力を歯車などを介して回転筒部１０に伝達し駆動するようにしてもよい。
【図面の簡単な説明】
【００３２】
【図１】本発明の一実施形態に係る残渣処理装置の全体構成の一部の例を示す正面概略図である。
【図２】同残渣処理装置の一部の例を示す概略斜視図である。
【図３】同残渣処理装置の全体構成の一部の例を示す側面概略図である。
【図４】同残渣処理装置の全体構成の他の一部の例を示す説明図である。
【符号の説明】
【００３３】
１      振動フィーダ
１０    回転筒部
１１    円筒網
２０    配管部
２０ａ  空間部
２１    吸込み側配管部
２２    吹出し側配管部
２３    吸込みダクト
２４    吹出しダクト
２９    仕切部
３０    ローラコンベア
４０    駆動部
４１    スプロケット
４２    チェーン
５０    搬送コンベア
６０    サイクロン式分級装置
６１    ファン
７０    フィルタ部
８０    メインブロワ
９０    排出スクリューコンベア
１１０  搬送スクリューコンベア
１１９  放出ブロワ
１２０  エアクッション分級装置
１２１  エアバルブ
１２２  チャンバ室
１２３  弾性部材
１９０  最終処分残渣
１９１  最終処分残渣の第１群
１９２  最終処分残渣の第２群
１９３  最終処分残渣の第３群
【図１】
2009247970.tif 000003
【図２】
2009247970.tif 000004
【図３】
2009247970.tif 000005
【図４】
2009247970.tif 000006